(57)【要約】【課題】コストを抑えつつ、内容記述作業をより効率的に行うことができる情報編集装置を提供する。【解決手段】デジタルデータを編集する情報編集装置５であって、表示画面３０に表示された各画面画像の切り替りタイミングを含むイベント情報を取得するイベント情報取得手段３６と、表示画面３０に画面画像が表示されている間に記録され、当該画面画像に関連するデジタルデータを取得するデジタルデータ取得手段３３と、イベント情報に基づいて、デジタルデータを複数の区間に分割する分割位置を特定する区間決定手段４３０と、区間決定手段４３０により決定された区間の長さが、予め定められた規定長に比べて短い場合に、規定長に比べて短い規定外区間を当該規定外区間の直前または直後の区間に統合する区間調整手段と４３１とを備えた。【選択図】      図５
2004236238.tif 000002
【特許請求の範囲】
【請求項１】
音声データおよび画像データの少なくとも一方を含むデジタルデータを編集する情報編集装置であって、
表示画面に順次表示された各画面画像が切り替るときの切り替りタイミングを含むイベント情報を取得するイベント情報取得手段と、
前記表示画面に前記画面画像が表示されている間に記録され、当該画面画像に関連するデジタルデータを取得するデジタルデータ取得手段と、
前記イベント情報に基づいて、前記デジタルデータを複数の区間に分割する分割位置を特定する区間決定手段と、
前記区間決定手段により決定された区間の長さが、予め定められた規定長に比べて短い場合に、前記規定長に比べて短い規定外区間を当該規定外区間の直前または直後の区間に統合する区間調整手段と
を備えたことを特徴とする情報編集装置。
【請求項２】
前記イベント情報取得手段は、前記表示画面に順次表示された各画面画像が、提示者からの操作に従って切り替るときの切り替りタイミングを含むイベント情報を取得することを特徴とする請求項１に記載の情報編集装置。
【請求項３】
前記デジタルデータ取得手段は、前記表示画面に表示された画面画像を含むデジタルデータを取得することを特徴とする請求項１または２に記載の情報編集装置。
【請求項４】
前記区間調整手段は、前記規定外区間を当該規定外区間の直後の区間に統合することを特徴とする請求項１から３のいずれか一項に記載の情報編集装置。
【請求項５】
前記表示装置に表示された前記画面画像を示す画面画像情報を取得する画面画像情報取得手段と、
前記イベント情報に基づいて、前記画面画像情報と前記デジタルデータとを同期させる場合に、前記デジタルデータの前記規定外区間に対して、前記規定外区間の統合先の区間に同期された前記画面画像情報を同期させる同期調整手段と
をさらに備えたことを特徴とする請求項１から４のいずれか一項に記載の情報編集装置。
【請求項６】
前記画面画像は、予め定められた順番に前記表示画面に表示され、
前記同期調整手段は、前記規定外区間に含まれる画面画像が、当該規定外区間の直前の区間に含まれる画面画像よりも先に表示されるべき画面画像である場合に、当該規定外区間の前記デジタルデータに対して、当該規定外区間の統合先の区間に同期された前記画面画像情報を同期させることを特徴とする請求項５に記載の情報編集装置。
【請求項７】
前記画面画情報から、前記デジタルデータの目次項目として文字情報を抽出する目次項目抽出手段と、
前記抽出手段が抽出した前記目次項目を、前記画面画情報に同期された前記デジタルデータに対応付け、前記規定外区間に対して統合先の目次項目を対応付ける前記対応付手段と
をさらに備えたことを特徴とする請求項５または６に記載の情報編集装置。
【請求項８】
前記規定長の指定を受け付ける規定長指定受付手段をさらに備え、
前記区間調整手段は、前記規定長指定受付手段が受け付けた前記規定長と前記区間決定手段により決定された区間の長さとを比較することを特徴とする請求項１から７のいずれか一項に記載の情報編集装置。
【請求項９】
音声データおよび画像データの少なくとも一方を含むデジタルデータを編集する情報編集装置であって、
前記デジタルデータを複数の区間に分割する区間決定手段と、
前記区間決定手段により決定された区間の長さが、予め定められた規定長に比べて短い場合に、前記規定長に比べて短い規定外区間を当該規定外区間の直前または直後の区間に統合する区間調整手段と
を備えたことを特徴とする情報編集装置。
【請求項１０】
音声データおよび画像データの少なくとも一方を含むデジタルデータを編集する情報編集方法であって、
提示者からの操作に従って、表示画面に順次表示された各画面画像が切り替るときの切り替りタイミングを含むイベント情報を取得するイベント情報取得ステップと、
前記表示画面に前記画面画像が表示されている間に記録され、当該画面画像に関連するデジタルデータを取得するデジタルデータ取得ステップと、
前記イベント情報に基づいて、前記デジタルデータを複数の区間に分割する分割位置を特定する区間決定ステップと、
前記区間決定ステップにおいて決定された区間の長さが、予め定められた規定長に比べて短い場合に、前記規定長に比べて短い規定外区間を当該規定外区間の直前または直後の区間に統合する区間調整ステップと
を有することを特徴とする情報編集方法。
【請求項１１】
音声データおよび画像データの少なくとも一方を含むデジタルデータを編集する情報編集方法をコンピュータに実行させる情報編集プログラムであって、
提示者からの操作に従って、表示画面に順次表示された各画面画像が切り替るときの切り替りタイミングを含むイベント情報を取得するイベント情報取得ステップと、
前記表示画面に前記画面画像が表示されている間に記録され、当該画面画像に関連するデジタルデータを取得するデジタルデータ取得ステップと、
前記イベント情報に基づいて、前記デジタルデータを複数の区間に分割する分割位置を特定する区間決定ステップと、
前記区間決定ステップにおいて決定された区間の長さが、予め定められた規定長に比べて短い場合に、前記規定長に比べて短い規定外区間を当該規定外区間の直前または直後の区間に統合する区間調整ステップと
をコンピュータに実行させることを特徴とする情報編集プログラム。
【発明の詳細な説明】
【０００１】
【発明の属する技術分野】
この発明は、デジタルデータを編集する情報編集装置、情報編集方法、および情報編集プログラムに関する。
【０００２】
【従来の技術】
長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
インデキシング技術としては、スライド等のドキュメントが表示されたタイミングに基づいて、当該ドキュメントに関連する映像を同期させるドキュメント処理方法が知られている。（例えば、特許文献１）。
【０００４】
【特許文献１】
特開２００２−２３２８５８号公報（第５−９頁）
【０００５】
【発明が解決しようとする課題】
しかし、上記技術によれば、ページの切り替え位置に対応して一律にインデックスが付与されるので、極端に短い区間が多数生成される場合がある。このように、必要以上に細かい区間に分割された場合、逆に検索が面倒になるという問題がある。一方、人の手によって各映像に適したインデックスを付与すると処理に長時間を要してしまい、低コストで適切なインデックスを付与することのできる技術の開発が望まれている。
【０００６】
この発明は上記に鑑みてなされたもので、コストを抑えつつ、内容記述作業をより効率的に行うことができる情報編集装置、情報編集方法、および情報編集プログラムを得ることを目的とする。
【０００７】
【課題を解決するための手段】
上記目的を達成するため、請求項１にかかる発明は、音声データおよび画像データの少なくとも一方を含むデジタルデータを編集する情報編集装置であって、表示画面に順次表示された各画面画像が、提示者からの操作に従って切り替るときの切り替りタイミングを含むイベント情報を取得するイベント情報取得手段と、前記表示画面に前記画面画像が表示されている間に記録され、当該画面画像に関連するデジタルデータを取得するデジタルデータ取得手段と、前記イベント情報に基づいて、前記デジタルデータを複数の区間に分割する分割位置を特定する区間決定手段と、前記区間決定手段により決定された区間の長さが、予め定められた規定長に比べて短い場合に、前記規定長に比べて短い規定外区間を当該規定外区間の直前または直後の区間に統合する区間調整手段とを備えたことを特徴とする。
【０００８】
ここで、表示画面に表示された画像とは、連続する一連の静止画情報、すなわち複数ページで構成される静止画情報である。また、画面画像の切り替りのタイミングとは、この複数ページの一のページから他のページに切り替るタイミングのことである。例えば、表示画面に表示される画面画像が１ページから２ページに切り替わるタイミングのことである。また、表示画面に表示された画像は、動画であってもよい。動画の場合には、画面画像の切り替りとは、動画における区間の切り替わるタイミングのことである。
【０００９】
この請求項１の発明によれば、デジタルデータに含まれる区間の長さが規定長区間に比べて短い場合には、隣接する区間に統合することができるので、閲覧者にとって意味のない内容のみを含む区間が生成されるのを避けることができる。
【００１０】
また、請求項２にかかる発明は、請求項１に記載の情報編集装置であって、前記イベント情報取得手段は、前記表示画面に順次表示された各画面画像が、提示者からの操作に従って切り替るときの切り替りタイミングを含むイベント情報を取得することを特徴とする。
【００１１】
この請求項２の発明によれば、提示者からの指示に従って切り替るときの切り替りタイミングを含むイベント情報に従って区間調整を行うことができるので、提示者の操作に沿った区間に調整することができる。
【００１２】
また、請求項３にかかる発明は、請求項１または２に記載の情報編集装置であって、前記デジタルデータ取得手段は、前記表示画面に表示された画面画像を含むデジタルデータを取得することを特徴とする。
【００１３】
この請求項３の発明によれば、イベント情報取得手段は、デジタルデータに映像として含まれている画面画像の切り替りタイミングを含むイベント情報を取得するので、デジタルデータの内容に沿った区間に分割することができる。
【００１４】
また、請求項４にかかる発明は、請求項１から３のいずれか一項に記載の情報編集装置であって、前記区間調整手段は、前記規定外区間を当該規定外区間の直後の区間に統合することを特徴とする。
【００１５】
対象となるデジタルデータが、プレゼンテーションの様子を撮影した情報である場合には、デジタルデータに含まれる表示画面には、プレゼンテーションに用いるスライドが表示されている。この場合、規定外区間には、プレゼンターが説明を省略したスライドを表示する区間が該当する。このように、所定のスライドに対する説明を省略する場合、これら省略すべきスライドを表示している間は、プレゼンターは、省略したスライドの先のスライド、すなわち次に説明すべきスライドを意識しながら説明している場合が多い。
【００１６】
これに対し、請求項４の発明によれば、規定外区間は、その直後の区間に統合することができるので、内容的に統一された区間を１つの区間とすることができる。このように区間を決定することにより、より適した目次を作成することができる。
【００１７】
また、請求項５にかかる発明は、請求項１から４のいずれか一項に記載の情報編集装置であって、前記表示装置に表示された前記画面画像を示す画面画像情報を取得する画面画像情報取得手段と、前記イベント情報に基づいて、前記画面画像情報と前記デジタルデータとを同期させる場合に、前記デジタルデータの前記規定外区間に対して、前記規定外区間の統合先の区間に同期された前記画面画像情報を同期させる同期調整手段とをさらに備えたことを特徴とする。
【００１８】
この請求項５の発明によれば、規定外区間に同期された画面画像にかえて、当該規定外区間の統合先に同期された画面画像を、規定外区間に同期することができる。従って、閲覧者にとって不必要な画面画像を表示するのを避けることができる。これにより、デジタルデータを、より有用性の高い情報に編集することができる。
【００１９】
また、規定外区間は、比較的短い時間のみしか表示されない。このため、規定外区間に対して画面画像を同期させると、画面画像の切り替りが頻繁に起きることとなり、閲覧者にとって見づらい情報となってしまう。しかし、請求項４の発明によれば、規定外区間に対しては、画面画像を切り替えないこととしたので、このような利用者にとって見づらい表示内容となるのを避けることができる。
【００２０】
また、請求項６にかかる発明は、請求項５に記載の情報編集装置であって、前記画面画像は、予め定められた順番に前記表示画面に表示され、前記同期調整手段は、前記規定外区間に含まれる画面画像が、当該規定外区間の直前の区間に含まれる画面画像よりも先に表示されるべき画面画像である場合に、当該規定外区間の前記デジタルデータに対して、当該規定外区間の統合先の区間に同期された前記画面画像情報を同期させることを特徴とする。
【００２１】
規定外区間に含まれる画面画像が、当該規定外区間の直前の区間に含まれる画面画像よりも時系列的に先に表示されるべき画面画像である場合のみ、規定外区間を統合することができる。順番に画面画像を表示させているときは、各画面画像についての説明を省略していても、利用者の理解のためには画面画像の表示は残したほうがよい場合もある。
【００２２】
このような場合であっても、この請求項６の発明によれば、逆順に画面画像切り替る場合のみ規定外区間を統合するので、より理解しやすい情報にすることができる。
【００２３】
また、請求項７にかかる発明は、請求項５または６に記載の情報編集装置であって、前記画面画情報から、前記デジタルデータの目次項目として文字情報を抽出する目次項目抽出手段と、前記抽出手段が抽出した前記目次項目を、前記画面画情報に同期された前記デジタルデータに対応付け、前記規定外区間に対して統合先の目次項目を対応付ける前記対応付手段とをさらに備えたことを特徴とする。
【００２４】
この請求項７の発明によれば、規定外区間には統合先の目次項目を対応付けるので、利用者にとって意味のない内容を再生する区間に対して目次の項目を設けるのを避けることができる。すなわち、より適切に目次を生成することができる。
【００２５】
また、請求項８にかかる発明は、請求項１から７のいずれか一項に記載の情報編集装置であって、前記規定長の指定を受け付ける規定長指定受付手段をさらに備え、前記区間調整手段は、前記規定長指定受付手段が受け付けた前記規定長と前記区間決定手段により決定された区間の長さとを比較することを特徴とする。
【００２６】
この請求項８の発明によれば、区間調整手段は、規定長指定受付手段が受け付けた規定長に基づいて区間を調整するので、規定長指定受付手段を介して規定長を自由に設定することができる。
【００２７】
また、請求項９にかかる発明は、音声データおよび画像データの少なくとも一方を含むデジタルデータを編集する情報編集装置であって、前記デジタルデータを複数の区間に分割する区間決定手段と、前記区間決定手段により決定された区間の長さが、予め定められた規定長に比べて短い場合に、前記規定長に比べて短い規定外区間を当該規定外区間の直前または直後の区間に統合する区間調整手段とを備えたことを特徴とする。
【００２８】
この請求項９の発明によれば、デジタルデータに含まれる区間の長さが規定長区間に比べて短い場合には、隣接する区間に統合することができるので、閲覧者にとって意味のない内容のみを含む区間が生成されるのを避けることができる。
【００２９】
また、請求項１０にかかる発明は、音声データおよび画像データの少なくとも一方を含むデジタルデータを編集する情報編集方法であって、提示者からの操作に従って、表示画面に順次表示された各画面画像が切り替るときの切り替りタイミングを含むイベント情報を取得するイベント情報取得ステップと、前記表示画面に前記画面画像が表示されている間に記録され、当該画面画像に関連するデジタルデータを取得するデジタルデータ取得ステップと、前記イベント情報に基づいて、前記デジタルデータを複数の区間に分割する分割位置を特定する区間決定ステップと、前記区間決定ステップにおいて決定された区間の長さが、予め定められた規定長に比べて短い場合に、前記規定長に比べて短い規定外区間を当該規定外区間の直前または直後の区間に統合する区間調整ステップとを有することを特徴とする。
【００３０】
この請求項１０の発明によれば、デジタルデータに含まれる区間の長さが規定長区間に比べて短い場合には、隣接する区間に統合することができるので、閲覧者にとって意味のない内容のみを含む区間が生成されるのを避けることができる。
【００３１】
また、請求項１１にかかる発明は、音声データおよび画像データの少なくとも一方を含むデジタルデータを編集する情報編集方法をコンピュータに実行させる情報編集プログラムであって、提示者からの操作に従って、表示画面に順次表示された各画面画像が切り替るときの切り替りタイミングを含むイベント情報を取得するイベント情報取得ステップと、前記表示画面に前記画面画像が表示されている間に記録され、当該画面画像に関連するデジタルデータを取得するデジタルデータ取得ステップと、前記イベント情報に基づいて、前記デジタルデータを複数の区間に分割する分割位置を特定する区間決定ステップと、前記区間決定ステップにおいて決定された区間の長さが、予め定められた規定長に比べて短い場合に、前記規定長に比べて短い規定外区間を当該規定外区間の直前または直後の区間に統合する区間調整ステップとをコンピュータに実行させることを特徴とする。
【００３２】
この請求項１１の発明によれば、デジタルデータに含まれる区間の長さが規定長区間に比べて短い場合には、隣接する区間に統合することができるので、閲覧者にとって意味のない内容のみを含む区間が生成されるのを避けることができる。
【００３３】
【発明の実施の形態】
以下に添付図面を参照して、この発明にかかる情報編集装置、情報編集方法、および情報編集プログラムの好適な実施の形態を詳細に説明する。
【００３４】
図１は、この発明の実施の形態である情報編集装置５を含む情報編集システム１の全体構成を示している。
【００３５】
情報編集システム１は、プレゼンテーション資料３１を格納するプレゼンテーション装置２と、このプレゼンテーション装置２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集する情報編集装置５とを備えている。なお、ここで、動画情報は、本発明のデジタルデータに相当する。
【００３６】
ＤＶカメラ４と情報編集装置５は、例えば、ＩＥＥＥ１３９４などのインターフェイスで接続されている。また、プレゼンテーション装置２と情報編集装置５は、ＩＥＥＥ８０２．１１ｂなどの通信インターフェイスで接続されている。無線通信環境がない場合は、通常のイーサネット（Ｒ）によるピア・ツー・ピア接続であってもよい。
【００３７】
プレゼンテーション装置２は、単にプレゼンテーション資料３１を格納しており、投影機３と通信可能であればよく、例えば、プレゼンターの所有するＰＣであってもよい。
【００３８】
編集者は、プレゼンターがプレゼンテーション資料３１を表示画面３０に表示させながらプレゼンテーションを行っている様子を、ＤＶカメラ４を用いて撮影する。ここで、編集者とは、情報編集システム１を利用して動画を編集する者のことである。
【００３９】
撮影が終了すると、情報編集装置５は、プレゼンテーション装置２からプレゼンテーション資料３１を取得し、さらに、ＤＶカメラ４からプレゼンテーションの様子を示す動画情報を取得する。そして、情報編集装置５は、動画情報を編集する。すなわち、動画情報にプレゼンテーション資料３１を対応付けた情報ファイルを生成する。
【００４０】
図２は、本実施の形態にかかる情報編集システム１に特徴的な処理を行う情報編集装置５の情報編集部３５と、プレゼンテーション装置２のイベント処理部３２の機能構成を示すブロック図である。
【００４１】
イベント処理部３２は、プレゼンテーション装置２に接続されたキーボード２１やマウス１５からの入力により、プレゼンテーションに関するイベントを示すイベント情報を取得するイベントキャプチャ部３３と、イベントキャプチャ部３３が取得したイベント情報を記録するイベント記録部３４と、イベント情報およびプレゼンテーション資料３１を情報編集装置５に送信する送信部４４とを有している。
【００４２】
また、情報処編集部３５は、送信部４４からイベント情報およびプレゼンテーション資料３１を受け取る受信部３６と、受信部３６が受け取ったイベント情報を制御するイベント情報制御部３７と、イベント情報を記録するイベント記録部３８と、イベント記録部３８からイベント情報を取得し、イベント情報の内容を解釈するイベント情報解釈部４２と、イベント情報解釈部４２によって解釈されたイベント情報に基づいて動画情報を編集し、情報ファイルを生成する情報ファイル生成部４３と、利用者等からの指示を受け付ける指示受付部５４と、情報ファイル生成部４３が生成した情報ファイルを外部に出力する出力部５０と、ＤＶカメラ４が取り込んだ動画情報をキャプチャする動画情報キャプチャ部４０と、動画情報を管理する動画情報管理部４１と、ＤＶカメラ４を制御する撮影機器制御部３９とを有している。
【００４３】
ここで、プレゼンテーション資料３１は、本発明の画面画像情報に相当する。また、イベントキャプチャ部３３、受信部３６、および動画情報キャプチャ部４０は、それぞれ本発明のイベント情報取得手段、画面画像情報取得手段、および動画情報取得手段を構成する。
【００４４】
ここで、図３を参照しつつ、プレゼンテーション資料３１について説明する。プレゼンテーション資料３１は、プレゼンテーションの際に表示画面３０に表示すべき画面画像３１０，３１２，３１４，３１６，３１８，３２０を含んでいる。各画面画像３１０，３１２，３１４，３１６，３１８，３２０には、ページ番号が対応付けられており、ページ番号順に表示される。すなわち、プレゼンテーション資料３１を構成する画面画像は、当該プレゼンテーション資料３１の作成者が定めた順番に配列されている。図３に示すプレゼンテーション資料３１は、６ページ分の画面画像を含んでいる。これらは、プレゼンターからの指示により、１ページ、２ページ、・・・とページ順に表示される。なお、本実施の形態におけるプレゼンテーション資料３１は、Ｍｉｃｒｏｓｏｆｔ（Ｒ）社製のＰｏｗｅｒ  Ｐｏｉｎｔ（Ｒ）のファイルである。
【００４５】
通常、プレゼンテーションにおいて、プレゼンターは、以下の操作を行う。
１．プレゼンテーション装置２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．プレゼンテーション装置２の終了
ここで、ページめくりとは、表示画面３０に表示させる、プレゼンテーション資料３１を１ページから次のページすなわち２ページに切り替えることである。
【００４６】
以上の操作は、いずれもマウス１５またはキーボード２１における所定の操作に対応付けられている。例えば、プレゼンテーション装置２の表示画面に表示されたプレゼンテーション・ソフトのアイコンをマウス１５によりクリックする操作は、プレゼンテーション・ソフトの起動というイベントに対応付けられている。
【００４７】
イベント記録部３４は、このイベント情報のログを記録し、送信部４４は通信インターフェイスを介して情報編集部３５に送信する。
【００４８】
撮影機器制御部３９は、イベント情報に基づいてＤＶカメラ４を制御する。イベント記録部３８は、イベント処理部３２から受信したイベント情報のみならず、ＤＶカメラ４の制御のイベント情報も記録する。
【００４９】
例えば、プレゼンテーション・ソフトの起動というイベントが発生したときは、このイベント情報をイベント記録部３８で記録する。さらに、撮影機器制御部３９により、ＤＶカメラ４からの動画情報取り込みを開始する。プレゼンテーション・ソフトが終了したときは、撮影機器制御部３９は、ＤＶカメラ４からの動画情報の取り込みを終了する。そして、イベント情報制御部３７は、プレゼンテーション・ソフトの終了をイベントとするイベント情報をイベント記録部３８に記録する。
【００５０】
イベント情報解釈部４２は、イベント情報の内容を解釈する。そして、情報ファイル生成部４３は、イベント情報解釈部４２によって解釈されたイベント情報の内容を参照し、プレゼンテーション資料３１及び動画情報に基づいて情報ファイルを生成する。
【００５１】
このように、情報編集部３５は、ＤＶカメラ４から取り込んだ動画情報中のイベントのイベント情報を動画情報とともに管理することができる。つまり、ＤＶカメラ４で撮影され取り込まれた動画情報は、時間の推移を規定する時間情報を付されて保存される。また、記録されたイベント情報は、情報ファイル生成部４３により、プレゼンテーション資料３１とマージされ、内容記述言語（ＭＰＥＧ−７など）により管理される。
【００５２】
図４は、イベント情報リスト３４０のデータ構成を模式的に示している。イベント情報リスト３４０には、イベント情報３４１，３４２，３４３・・・が、各イベントの発生した順番に配列されている。イベント情報には、発生したイベントの種類およびイベントが発生した日時が含まれている。例えばページ２が表示されると、「ページ２に切り替え」というイベント情報が記録される。これにより、各ページの表示を開始した表示開始時刻および表示を終了した終了時刻を認識することができる。
【００５３】
図５は、図２において説明した、情報ファイル生成部４３の詳細な機能構成を示す機能ブロック図である。情報ファイル生成部４３は、区間決定部４３０と、区間調整部４３１と、同期部４３３と、目次項目抽出部４３４と、対応付部４３５と、同期調整部４３６と、目次項目抽出部４３７とを有する。
【００５４】
区間決定部４３０は、ＤＶカメラ４から取得した動画情報６００を、プレゼンテーション装置２から取得したイベント情報７００に基づいて、複数の区間に分割する。具体的には、区間決定部４３０は、ページめくりを示すイベント情報が示す時刻に録画されたフレーム位置を動画情報の区間の境界位置として決定する。すなわち、一のページが表示されている区間は、同一区間となり、ページが切り替わるタイミングが、区間の境界に対応する。
【００５５】
区間調整部４３１は、区間決定部４３０が分割した区間の長さを調整する。具体的には、区間決定部４３０により決定された区間の長さが、予め定められた規定長に比べて短い場合に、この規定長よりも短い区間、すなわち規定長外区間を、当該規定長区間の直前または直後の区間に統合する。ここで、規定長は、変更可能である。例えば、指示受付部５４を介して編集者等から指定された長さに定められてもよい。
【００５６】
同期部４３３は、イベント情報に基づいて、動画情報６００とプレゼンテーション資料３１との同期を取る。すなわち、動画情報６００の各区間を表示させるときに同時に表示させるべきプレゼンテーション資料３１の一のページを、各区間に対応付ける。
【００５７】
同期調整部４３６は、動画情報６００の規定外区間に対して、同期部４３３が同期させたプレゼンテーション資料３１のページにかえて、規定外区間の統合先の区間に同期されたページを同期させる。
【００５８】
目次項目抽出部４３４は、プレゼンテーション資料３１から、動画情報６００の目次の項目となるべき文字情報を抽出する。対応付部４３５は、目次項目抽出部４３４が抽出した目次項目を、当該目次項目の抽出元である、プレゼンテーション資料３１の各ページに対応付ける。目次項目抽出部４３７は、目次項目抽出部４３４が抽出した目次項目を削除する。
【００５９】
図６は、情報編集部３５が生成した情報ファイルを示している。情報ファイルは、動画情報６００と、動画情報６００の各区間６１０に対応付けられた複数の画面画像３１０，３１２・・・を有している。なお、動画情報６００の各区間６１０は、複数のフレーム６２０を含んでいる。各区間６１０の長さは、イベント情報により決定される。このように、動画情報６００は、プレゼンテーション資料３１の各画面画像３１０，３１２・・・と対応付けられているので、動画情報６００とプレゼンテーション資料３１の各画面画像３１０，３１２・・・とを同期して表示させることができる。
【００６０】
図７は、出力部５０から出力された情報ファイルを示している。図７に示す表示部５００には、動画情報６００と、プレゼンテーション資料３１のうち、表示部５００に表示されている区間に同期されたページ３３０と、動画情報６００の目次８００とが表示されている。なお、目次８００と動画情報６００とはリンクしており、例えば、目次８００中の「テーマ１：製造業の空洞化」という項目が選択されると、そのとき表示されている動画の区間にかかわらず、動画情報６００の区間１が再生される。なお、区間１とは、映像中に含まれる表示画面３０にテーマ１が表示されている区間である。このように、目次を選択することにより、利用者の所望の区間を表示させることができる。
【００６１】
なお、本実施の形態においては、情報ファイル生成部４３は、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を利用して情報ファイルを生成する。ここで、ＳＭＩＬとは、動画、静止画、音声、音楽、文字など様々な形式のデータの再生を制御して同期させる言語のことであり、ＸＭＬで記述されている。ＳＭＩＬを用いることにより、表示画面における表示位置、表示させるタイミング、表示させる時間などを指定することができる。
【００６２】
以下、図８を参照しつつ、情報編集部３５が情報ファイルを作成するときの情報編集処理について説明する。まず、区間決定部４３０は、ＤＶカメラ４から取得した動画情報６００を、プレゼンテーション装置２から取得したイベント情報７００に基づいて複数の区間に分割する（ステップＳ１００）。具体的には、「発生日時１０時１０分、イベント種類ページ２に切り替え」及び「発生日時１０時１６分、イベント種類ページ３に切り替え」を示す連続して記録された２つのイベント情報を取得した場合には、動画情報６００のうち１０時１０分から１０時１６分の間に録画された区間はページ２に対応する区間と決定される。すなわち、１０時１０分および１０時１６分の位置を境界位置とする区間に分割する。
【００６３】
次に、区間調整部４３１は、区間決定部４３０によって決定された各区間の長さを、予め定められた規定長と比較する。そして、規定長に比べて短い区間、すなわち規定長外区間があった場合（ステップＳ１０２，Ｙｅｓ）、規定長外区間を調整する（ステップＳ１０４）。
【００６４】
ここで、図９を参照しつつ、区間調整部４３１が規定長外区間を調整する方法について説明する。図９は、動画情報６００を時間軸に沿って模式的に示している。例えば、「テーマ１」の区間は、動画情報６００のうち、動画情報６００に映像として含まれている表示画面３０に「テーマ１」の表題のページ、すなわち１ページが表示されている区間を示している。このように、各区間は、表示画面３０に表示された画面画像の切り替りを境界として定められている。
【００６５】
また、ｔ１は、「テーマ１」に対応する区間を再生するのに要する再生時間である。すなわち、ｔ１は、テーマ１のページであるページ１の表示終了時刻と開始時刻の差分値である。ここで、先に述べた規定長は、ｔｓで示される。すなわち、規定長は再生時間の単位で定められている。
【００６６】
区間の長さｔｘ（ｘ＝１〜６）の各々について規定長ｔｓと比較し、規定長ｔｓに比べて短い区間は、規定長ｔｓよりも長い他の区間に統合する。例えば、図９（Ａ）に示す「テーマ４」を表示する区間の長さｔ４および「テーマ５」の区間の長さｔ５は規定長に比べて短い。従って、「テーマ４」の区間および「テーマ５」の区間は、規定外区間と判断される。この場合、図９（Ｂ）に示すように、規定外区間は、その直後の区間に統合される。すなわち、「テーマ５」の区間は、「テーマ６」の区間に統合される。また、「テーマ４」の直後の区間、すなわち「テーマ５」の区間は規定外区間であるので、「テーマ４」の区間は、さらにその直後の区間、すなわち「テーマ６」の区間に統合される。すなわち、「テーマ４」の区間、「テーマ５」の区間、および「テーマ６」の区間が１つの区間に統合され、いずれも区間４に含まれることになる。
【００６７】
プレゼンテーションにおいては、時間の都合上、途中のページの説明を省略する場合がある。図９の「テーマ４」の区間および「テーマ５」の区間ように、その表示時間が短い場合、これらの画面画像は「テーマ６」を表示させるため表示されたに過ぎず、画面画像に対する説明は省略されていると推測される。このように、説明の対象となっていないと予想される、表示時間の短い画面画像に対応する区間を省略することで、より見やすい情報に編集することができる。
【００６８】
プレゼンテーション資料３１の途中の画面画像の説明を省略する場合、省略する画面画像を表示させている間、プレゼンターは、次に説明する画面画像に関する内容を意識している場合が多い。このため、表示画面３０に省略された画面画像が表示されている間は、その次に説明の対象となるページにおいて説明すべき事項に関連する説明をしていると予想される。また、実際のプレゼンテーションにおいても、このようなケースが多い。そこで、本実施の形態においては、規定外区間は、便宜的にその直後の区間に含めることにした。これにより、内容的に統一された区間を１つの区間とすることができる。
【００６９】
説明を図８に戻す。動画情報が複数の区間に分割されると、次に、同期部４３３は、イベント情報７００に基づいて、動画情報６００とプレゼンテーション資料３１とを同期させる（ステップＳ１０６）。次に、目次項目抽出部４３４は、プレゼンテーション資料３１から動画情報６００の目次として文字情報を抽出する（ステップＳ１０８）。具体的には、プレゼンテーション資料３１の各画面画像は、タイトル属性が付与された文字情報を含んでおり、目次項目抽出部４３４は、タイトル属性に対応付けられた文字情報を抽出する。目次項目抽出部４３４は、プレゼンテーション資料３１に含まれるすべてのページの画面画像から文字情報を抽出する。なお、本実施の形態においては、各画面画像における「テーマ・・・」という文字情報が、タイトル属性として記述されている。
【００７０】
次に、目次項目抽出部４３４は、抽出いた目次項目を含む目次を生成する（ステップＳ１０９）。次に、対応付部４３５は、目次項目抽出部４３４が抽出した文字情報、すなわち目次項目を、当該目次項目を抽出した画面画像に対応付ける（ステップＳ１１０）。画面画像は、動画情報６００の各区間に対応付けられている。従って、各目次項目は、画面画像を介して動画情報６００の各区間に対応付けられる。
【００７１】
ステップＳ１０２，ステップＳ１０４において、区間を統合した場合には（ステップＳ１１２，Ｙｅｓ）、同期調整部４３６は、動画情報６００とプレゼンテーション資料３１の同期を調整する（ステップＳ１１４）。
【００７２】
ここで、図１０を参照しつつ同期調整部４３６が同期を調整する方法について説明する。図１０に示すように、動画情報６００の各区間と、当該区間と同時に表示すべきプレゼンテーション資料３１の各ページは同期している。規定外区間である「テーマ４」の区間および「テーマ５」の区間には、それぞれプレゼンテーション資料３１のうち「テーマ４」を示す４ページと５ページが同期している。この場合、同期調整部４３６は、「テーマ４」の区間および「テーマ５」の区間を含む区間４全体に対してプレゼンテーション資料３１の６ページを同期させる。すなわち、同期調整部４３６は、「テーマ４」の区間に対して、４ページにかえて６ページを同期させ、かつ「テーマ５」の区間に対して、５ページにかえて６ページを同期させる。
【００７３】
規定外区間において表示画面３０に表示される画面画像は、該当するページにおいて、その説明が省略されており、表示させる必要がない場合が多い。また、先に説明したように、これらの画面画像を表示しているとき、プレゼンターはその後に表示する画面画像に関する内容について説明している場合が多い。このため、同期部４３３によって同期された画面画像を同期させるよりも、その後に表示するページを同期したほうが、利用者は内容を理解しやすい。
【００７４】
再び、図８を参照しつつ情報編集処理について説明する。同期調整が完了すると、次に、目次項目抽出部４３７は規定外区間に対応する目次項目を削除する。図１１は、図１０に示す動画情報６００の目次項目を示している。図１１（Ａ）は削除前の目次項目を示している。図１１（Ｂ）は削除後の目次項目を示している。図１０に示すように、規定外区間である「テーマ４」の区間および「テーマ５」の区間は、いずれも「テーマ６」の区間に統合されている。そこで、これら３つの区間を含む区間４に対しては、統合先の区間に同期するページ６のページ属性を目次項目として抽出する。これにより、目次項目が無駄に多くなるのを避けることができる。以上の処理により、図８に示す動画情報６００に対する情報編集処理が全て完了する。
【００７５】
次に、プレゼンテーションにおいて、本来表示すべき順番と逆の順番でプレゼンテーション資料３１の画面画像が表示された場合の情報編集部３５の処理について、図１２を参照しつつ説明する。図１２に示す動画情報６１０には、プレゼンテーション資料３１のページ順と逆の順番にページが表示される部分が含まれている。すなわち、動画情報に含まれる表示画面３０は、「テーマ５」を表示したのちに、再度「テーマ４」の画面画像、「テーマ３」の画面画像、および「テーマ２」の画面画像の順に表示している。
【００７６】
なお、情報編集装置３５は、ページの切り替えをイベント種類として含むイベント情報に基づいて、ページ順と逆の順番に表示されていることを認識することができる。
【００７７】
プレゼンテーションにおいては、既に説明した内容を、再び関連する画面画像を再度表示させて説明する場合がある。このような場合には、プレゼンターは、ユーザインターフェースを用いて操作することにより。図１２に示すように順にページを戻していく。この場合も情報編集部３５は、図８から図１１を参照しつつ説明した情報編集処理によって、規定長外区間を、当該規定長外区間の直後の区間に統合する。具体的には、図１２に示すテーマ５の区間に続いて順に表示されるテーマ４の区間およびテーマ３の区間が規定外区間である場合には、「テーマ４」の区間および「テーマ３」の区間を「テーマ２」の区間に統合する。
【００７８】
その一方で、ページ順に「テーマ１」の区間から「テーマ５」の区間の間に含まれる規定外区間である「テーマ４」の区間に対しては、直後の区間に含める処理を行わない。このように、一旦表示させたページを、再度ページを遡って表示させる場合に限り直後の区間に統合することとしてもよい。
【００７９】
ページ順にプレゼンテーション資料３１を表示させているときは、各ページについての説明を省略していても、聴講者の理解のためには画面画像の表示は残したほうがよい場合もある。このような場合には、本例のように、逆順にページが切り替る場合のみ規定外区間を統合することにより、より理解しやすい情報にすることができる。
【００８０】
逆順にページが切り替る場合は、それ以前に既に、省略されたページについての説明がなされている場合が多い。従って、逆順にページが切り替る区間内の規定外区間を統合することにより、より適切な目次を生成することができる。
【００８１】
図１３は、実施の形態にかかる情報編集装置５のハードウェア構成を示す図である。情報編集装置５は、図２および図５を参照しつつ説明した、情報編集部３５の情報編集プログラムなどが格納されているＲＯＭ５２、ＲＯＭ５２内のプログラムに従って情報編集装置５の各部を制御し、情報編集処理等を実行するＣＰＵ５１、ワークエリアが形成され、情報編集装置５の制御に必要な種々のデータが記憶されているＲＡＭ５３、ネットワークに接続して、通信を行う通信Ｉ／Ｆ５７、および各部を接続するバス６２を備えている。
【００８２】
先に述べた情報編集装置５における情報編集処理を実行する情報編集プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【００８３】
また、本実施形態の情報編集プログラムを、インターネット等のネットワークに接続されたコンピュータ上に格納し、ネットワーク経由でダウンロードさせることにより提供するように構成しても良い。
【００８４】
この場合には、情報編集プログラムは、情報編集装置５において上記記録媒体から読み出して実行することにより主記憶装置上にロードされ、上記ソフトウェア構成で説明した各部が主記憶装置上に生成されるようになっている。
【００８５】
また、プレゼンテーション装置２のハードウェア構成は、図１３を参照しつつ説明した情報編集装置５のハードウェア構成と同様であるので、説明を省略する。
【００８６】
以上、実施の形態にかかる情報編集システム１について説明したが、上記実施の形態に多様な変更または改良を加えることができる。
【００８７】
そうした第１の変更例としては、本実施の形態においては、同期調整部４３６は、同期部４３３は、イベント情報７００に基づいて動画情報と画面画像情報とを同期させ、その後同期調整部４３６は区間調整部４３１が調整した区間に基づいて、動画情報と画面画像情報との同期を調整したが、他の例としては、同期部４３３は、区間調整部４３１が区間を調整した後の動画情報に対して、各区間に対する画面画像情報を動画情報の各区間に対応付けてもよい。また、この場合は、目次抽出部４３４は、同期調整後の各区間に対応する目次項目を抽出してもよい。なお、この場合には、情報ファイル生成部４３は、同期調整部４３６および目次項目削除部４３７を有さなくともよい。
【００８８】
このように、各処理の順番は、本実施の形態に限定されるものではなく、最終的に動画情報の各区間に対して、画面画像情報が１対１に対応付けられればよい。
【００８９】
第２の変更例としては、本実施の形態においては、動画情報に表示画面３０が映像として含まれている場合について説明したが、動画情報には必ずしも表示画面３０の映像が含まれていなくてもよい。例えば、表示画面３０に表示される画面画像については、画面画像情報として取得するので、あえて映像中に含めることがないと判断した場合には、プレゼンテーションが行われている間は、プレゼンターが話している様子や、会場の様子などを録画してもよい。
【００９０】
また例えば、本発明のデジタルデータは、当該動画情報にかえて、プレゼンターが表示画面３０を参照しつつ話している音声を録音した音声データであってもよい。この場合にも、本実施の形態において説明したのと同様に、プレゼンターが表示画面３０に表示する画面画像を切り替えるタイミングを含むイベント情報に基づいて音声データを編集する。プレゼンテーションの音声データが当該プレゼンテーションにおいて参照される画面画像に同期している場合には、このように音声データと画面画像とを同期させることにより、音声データの利便性を向上させることができる。
【００９１】
第３の変更例としては、本実施の形態においては、規定外区間に同期する画面画像を変更し、かつ目次項目を省略したが、これにかえて、規定外区間に同期する画面画像の変更を行わなくともよい。例えば、目次項目が煩雑になるのを避けるため、区間統合および目次項目の削除を行いたいが、省略された画面画像の表示はそのまま残した方が、内容を理解する上で便宜な場合がある。このような場合には、本例のように、規定外区間であっても、同期する画面画像を同時に表示させてもよい。
【００９２】
また、規定外区間に同期する画面画像を変更するのみで、目次項目の省略を行わなくともよい。このように、これらの２つの処理は独立して行うことができる。
【００９３】
第４の変更例としては、本実施の形態においては、規定外区間を当該規定外区間の直後の区間に統合したが、これにかえて、規定外区間を当該規定外区間の直前の区間に統合してもよい。例えば、作成した情報ファイルの各区間の頭出しにおいて、規定外区間が表示されるのを避けたい場合には、規定外区間を直前の区間に統合してもよい。このように、規定外区間をいずれの区間に統合するかは、利用者の希望により、また対象とする動画情報の性質などに基づいて、便宜的に定めてもよい。
【００９４】
【発明の効果】
以上説明したように、請求項１にかかる発明によれば、デジタルルデータに含まれる区間の長さが規定長区間に比べて短い場合には、隣接する区間に統合することができるので、閲覧者にとって意味のない内容のみを含む区間が生成されるのを避けることができるという効果を奏する。
【００９５】
また、請求項２にかかる発明によれば、提示者からの指示に従って切り替るときの切り替りタイミングを含むイベント情報に従って区間調整を行うことができるので、提示者の操作に沿った区間に調整することができるという効果を奏する。
【００９６】
また、請求項３にかかる発明によれば、イベント情報取得手段は、デジタルデータに映像として含まれている画面画像の切り替りタイミングを含むイベント情報を取得するので、デジタルデータの内容に沿った区間に分割することができるという効果を奏する。
【００９７】
また、請求項４にかかる発明によれば、規定外区間は、その直後の区間に統合することができるので、内容的に統一された区間を１つの区間とすることができる。このように区間を決定することにより、より適した目次を作成することができるという効果を奏する。
【００９８】
また、請求項５にかかる発明によれば、規定外区間に同期された画面画像にかえて、当該規定外区間の統合先に同期された画面画像を、規定外区間に同期することができる。従って、閲覧者にとって不必要な画面画像を表示するのを避けることができる。これにより、デジタルデータを、より有用性の高い情報に編集することができるという効果を奏する。
【００９９】
また、規定外区間は、比較的短い時間のみしか表示されない。このため、規定外区間に対して画面画像を同期させると、画面画像の切り替りが頻繁に起きることとなり、閲覧者にとって見づらい情報となってしまう。しかし、請求項４の発明によれば、規定外区間に対しては、画面画像を切り替えないこととしたので、このような利用者にとって見づらい表示内容となるのを避けることができるという効果を奏する。
【０１００】
また、請求項６にかかる発明によれば、逆順に画面画像切り替る場合のみ規定外区間を統合するので、より理解しやすい情報にすることができるという効果を奏する。
【０１０１】
また、請求項７にかかる発明によれば、規定外区間には統合先の目次項目を対応付けるので、利用者にとって意味のない内容を再生する区間に対して目次の項目を設けるのを避けることができるという効果を奏する。
【０１０２】
また、請求項８にかかる発明によれば、区間調整手段は、規定長指定受付手段が受け付けた規定長に基づいて区間を調整するので、規定長指定受付手段を介して規定長を自由に設定することができるという効果を奏する。
【０１０３】
また、請求項９の発明によれば、デジタルデータに含まれる区間の長さが規定長区間に比べて短い場合には、隣接する区間に統合することができるので、閲覧者にとって意味のない内容のみを含む区間が生成されるのを避けることができるという効果を奏する。
【０１０４】
また、請求項１０にかかる発明によれば、デジタルデータに含まれる区間の長さが規定長区間に比べて短い場合には、隣接する区間に統合することができるので、閲覧者にとって意味のない内容のみを含む区間が生成されるのを避けることができるという効果を奏する。
【０１０５】
また、請求項１１にかかる発明によれば、デジタルデータに含まれる区間の長さが規定長区間に比べて短い場合には、隣接する区間に統合することができるので、閲覧者にとって意味のない内容のみを含む区間が生成されるのを避けることができるという効果を奏する。
【図面の簡単な説明】
【図１】情報編集システム１の全体構成を示す図である。
【図２】情報編集装置５の情報編集部３５と、プレゼンテーション装置２のイベント処理部３２の機能構成を示すブロック図である。
【図３】プレゼンテーション資料３１を模式的に示す図である。
【図４】イベント情報リスト３４０のデータ構成を模式的に示す図である。
【図５】情報ファイル生成部４３の詳細な機能構成を示す機能ブロック図である。
【図６】情報編集部３５が生成した情報ファイルを示す図である。
【図７】出力部５０から出力された情報ファイルを示す図である。
【図８】情報編集部３５が情報ファイルを作成するときの情報編集処理を示すフローチャートである。
【図９】動画情報６００を時間軸に沿って模式的に示す図である。
【図１０】同期調整部４３６による同期の調整方法を説明するための図である。
【図１１】図１０に示す動画情報６００の目次を示す図である。
【図１２】動画情報６１０を示す図である。
【図１３】情報編集装置５のハードウェア構成を示す図である。
【符号の説明】
１  情報編集システム
２  プレゼンテーション装置
３  投影機
４  ＤＶカメラ
５  情報編集装置
１５  マウス
２１  キーボード
３０  表示画面
３１  プレゼンテーション資料
３２  イベント処理部
３３  イベントキャプチャ部
３４  イベント記録部
３４  投影機
３５  情報処理部
３６  受信部
３７  イベント情報制御部
３８  イベント記録部
３９  撮影機器制御部
４０  動画情報キャプチャ部
４１  動画情報管理部
４２  イベント情報解釈部
４３  情報ファイル生成部
４４  送信部
５０  出力部
６２  バス
３１０，３１２，３１４，３１６，３１８，３２０  画面画像
３４０  イベント情報リスト
３４１，３４２，３４３  イベント情報
４３０  区間決定部
４３１  区間調整部
４３３  同期部
４３４  目次項目抽出部
４３５  対応付部
４３６  同期調整部
４３７  目次項目削除部
５００  表示部
６００，６１０  動画情報
【図１】
2004236238.tif 000003
【図２】
2004236238.tif 000004
【図３】
2004236238.tif 000005
【図４】
2004236238.tif 000006
【図５】
2004236238.tif 000007
【図６】
2004236238.tif 000008
【図７】
2004236238.tif 000009
【図８】
2004236238.tif 000010
【図９】
2004236238.tif 000011
【図１０】
2004236238.tif 000012
【図１１】
2004236238.tif 000013
【図１２】
2004236238.tif 000014
【図１３】
2004236238.tif 000015